(57)【要約】【課題】複数の映像出力端子部を備えたこの種の映像出力装置において、各映像出力端子部と映像表示装置とのケーブル接続状態がどのようであっても、ケーブル接続をやり直すことなく、簡単な操作で出力映像信号の映像が映像表示装置に画面表示できるようにする。【解決手段】リモコン送信機２、本体操作部３１０の所定のキー操作によってモード選択を指令し、コントローラ３０７の出力モード切り替え手段により前記モード選択の終了が指令されて前記モード選択が解除されるまで、各候補モードを順に出力モードに選択して出力モードを自動的に切り替え、リモコン送信機２、本体操作部３１０のモード選択中の決定操作に基づき、コントローラ３０７の出力モード設定手段により選択中の候補モードを出力モードに設定して出力映像信号の映像を映像表示装置４に画面表示できるようにする。【選択図】図１
2008060664.tif 000002
【特許請求の範囲】
【請求項１】
複数個の映像出力端子部を備え、該各映像出力端子部の少なくとも１つが映像表示装置の対応する映像入力端子部にケーブル接続され、出力モードの設定に基づき出力映像信号を前記各映像出力端子部のうちの一部の端子部から出力して前記映像表示装置に画面表示する映像出力装置において、所定のキー操作によってモード選択を指令し、前記モード選択中の決定操作によって出力モードの設定及び前記モード選択の終了を指令する操作手段と、前記出力映像信号を出力する映像出力端子部の個数、組み合わせが異なる複数種類の候補モードを保持し、前記モード選択の指令に基づき、前記モード選択の終了が指令されて前記モード選択が解除されるまで前記各候補モードを順に前記出力モードに選択して前記出力モードを切り替える出力モード切り替え手段と、前記モード選択における前記出力モードの決定の指令により選択中の前記候補モードを前記出力モードに設定する出力モード設定手段とを備えたことを特徴とする映像出力装置。
【請求項２】
前記各映像出力端子部は、異なる映像出力フォーマットの端子部であることを特徴とする請求項１記載の映像出力装置。
【発明の詳細な説明】
【技術分野】
【０００１】
本発明は、複数個の映像出力端子部の少なくとも１つが映像表示装置の対応する映像入力端子部にケーブル接続された映像再生装置や映像記録再生装置等の映像出力装置に関する。
【背景技術】
【０００２】
従来、ＤＶＤプレーヤ、ビデオテーププレーヤ等の映像再生装置やＤＶＤレコーダ、ＨＤＤレコーダ、ビデオテープレコーダ等の映像出力装置には、映像信号を出力する映像出力端子部を複数個備えたものがある。
【０００３】
前記各映像出力端子部は、一般に、コンポジット映像端子部（いわゆるピン端子）、セパレート映像端子部（いわゆるＳ端子部）、コンポーネント映像端子部、Ｄ映像端子部、ＨＤＭＩ端子部（デジタルインタフェース端子部）等の映像出力フォーマットが異なる端子部である。
【０００４】
そして、映像出力装置の設置時等に、前記各映像出力端子部の少なくとも１個が映像受信装置（テレビ）等の映像表示装置の対応する映像入力端子部に接続される。
【０００５】
更に、映像出力端子部を複数個備えたこの種の映像出力装置には、映像デコードの回路仕様等に基づいて、映像信号（出力映像信号）を実際に出力する端子部（映像出力端子部）の個数が制限され、出力モードを切り替えることによって、前記各映像出力端子部のうちの映像信号を実際に出力する端子部の個数や組み合わせが変化するものがある。
【０００６】
上記構成の場合、出力モードの設定によっては、映像表示装置の映像入力端子部にケーブル接続された映像出力端子部が映像信号を出力していない誤った端子部になることがあり、このような事態が発生すると、映像表示装置側で入力モードを切り替える等しても映像出力装置の出力映像が再生表示されない。
【０００７】
そして、上述の事態は設置時にケーブル接続を誤る等することで生じ易く、このような場合、専門的な知識のない一般のユーザーはどのように対処すればよいのか分からず、映像出力装置の故障と勘違いしたりする。
【０００８】
そこで、映像信号を出力していない一方の映像出力端子部が映像表示装置にケーブル接続されたときに、映像表示装置にケーブル接続されている他方の映像出力端子部から、映像信号を出力している映像出力端子部のメッセージ表示のＯＳＤ信号を出力し、映像表示装置の前記メッセージ表示によってユーザーに映像信号を出力している正しい映像出力端子部を通知し、映像出力装置が故障しているのではなく、誤った映像出力端子部が映像表示装置にケーブル接続されていることに気づかせることが提案されている（例えば、特許文献１参照。）。
【特許文献１】特開２００１−２１１３９５号公報（段落［００１４］−［００１７］、図１等）
【発明の開示】
【発明が解決しようとする課題】
【０００９】
前記特許文献１に記載のように、映像表示装置にケーブル接続された映像出力端子部のＯＳＤ信号に基づく前記映像表示装置のメッセージ表示により、映像信号を出力する正しい映像出力端子部をユーザーに通知するのでは、この通知によってユーザーが映像出力装置の故障でなく、誤った映像出力端子部が映像表示装置にケーブル接続されていることに気づいたとしても、映像表示装置とのケーブル接続をやり直し、映像信号を出力している映像出力端子部を、映像表示装置にケーブル接続しない限り、映像出力装置の出力映像は再生表示されず、煩わしく面倒である。
【００１０】
しかも、映像出力端子部が３個以上ある場合、映像信号を出力している映像出力端子部が映像表示装置にケーブル接続されているとは限らず、前記ＯＳＤ信号に基づくメッセージ表示が画面表示されない事態が生じる問題もある。
【００１１】
本発明は、複数の映像出力端子部を備えたこの種の映像出力装置において、各映像出力端子部と映像表示装置とのケーブル接続状態がどのようであっても、ケーブル接続をやり直すことなく、簡単な操作で出力映像信号の映像を映像表示装置に画面表示できるようにすることを目的とする。
【課題を解決するための手段】
【００１２】
上記の目的を達成するために、本発明の映像出力装置は、複数個の映像出力端子部を備え、該各映像出力端子部の少なくとも１つが映像表示装置の対応する映像入力端子部にケーブル接続され、出力モードの設定に基づき出力映像信号を前記各映像出力端子部のうちの一部の端子部から出力して前記映像表示装置に画面表示する映像出力装置において、所定のキー操作によってモード選択を指令し、前記モード選択中の決定操作によって出力モードの設定及び前記モード選択の終了を指令する操作手段と、前記出力映像信号を出力する映像出力端子部の個数、組み合わせが異なる複数種類の候補モードを保持し、前記モード選択の指令に基づき、前記モード選択の終了が指令されて前記モード選択が解除されるまで前記各候補モードを順に前記出力モードに選択して前記出力モードを切り替える出力モード切り替え手段と、前記モード選択における前記出力モードの決定の指令により選択中の前記候補モードを前記出力モードに設定する出力モード設定手段とを備えたことを特徴としている（請求項１）。
【００１３】
そして、前記各映像出力端子部は、異なる映像出力フォーマットの端子部であることが実用的である（請求項２）。
【発明の効果】
【００１４】
請求項１の発明によれば、各映像出力端子部の少なくとも１つを映像表示装置の対応する映像入力端子部にケーブル接続した状態でユーザーが操作手段の所定のキー操作によってモード選択を指令すると、出力モード切り替え手段が自動的に各候補モードを順次に出力モードに選択し、出力モードを切り替える。
【００１５】
そして、モード選択中の前記出力モードの切り替えにより、映像表示装置にケーブル接続された映像出力端子部が映像信号を出力している端子部になると、その映像が映像表示装置に画面表示される。
【００１６】
更に、前記画面表示を見たユーザーが操作手段によって決定操作を行ない、出力モードの設定及びモード選択の終了を指令すると、出力モード設定手段がそのとき選択中の候補モードを出力モードに設定してモード選択を終了し、出力モードを固定する。
【００１７】
したがって、以降は映像信号を出力する映像出力端子部が映像表示装置にケーブル接続された状態になり、その端子部の出力映像信号が映像表示装置に画面表示される。そのため、各映像出力端子部と映像表示装置とのケーブル接続状態がどのようであっても、ケーブル接続をやり直すことなく、出力モードを設定する簡単な操作で映像信号を出力している正しい映像出力端子部が映像表示装置にケーブル接続された状態にすることができ、専門的な知識のない一般のユーザーが映像出力装置の故障と勘違いしたりすることもない。
【００１８】
又、請求項２の発明によれば、各映像出力端子部が、上述のコンポジット映像端子部、セパレート映像端子部、コンポーネント映像端子部、Ｄ映像端子部、ＨＤＭＩ端子部等の異なる映像出力フォーマットの端子部であり、実用的な構成によって請求項１の発明と同様の効果を奏する。
【発明を実施するための最良の形態】
【００１９】
次に、本発明をより詳細に説明するため、その一実施形態について、図１及び図２にしたがって詳述する。
【００２０】
図１は本発明の映像出力装置の一例であるＤＶＤプレーヤ１の構成を示すブロック図、図２はその映像出力設定の動作説明用のフローチャートである。
【００２１】
（構成）
図１に示すように、ＤＶＤプレーヤ１は携帯型のリモコン送信機２と本体装置３とによって形成される。
【００２２】
そして、リモコン送信機２は周知の赤外線リモコン送信機と同様に構成され、本発明の操作手段を形成する。すなわち、リモコン送信機２は複数の通常操作キー２１と共に、本体装置３の映像の出力モードを設定する映像設定キー２２を備え、映像設定キー２２の操作（所定のキー操作）によってモード選択の指令を本体装置３に赤外線で無線送信し、モード選択中の映像設定キー２２の再度の操作（決定操作）によって出力モードの設定及びモード選択の終了の指令を本体装置３に赤外線で無線送信する。
【００２３】
一方、本体装置３は、複数個の映像出力端子部として、コンポジット映像出力端子部３０１、セパレート映像出力端子部３０２及びコンポーネント映像出力端子部３０３を備える。
【００２４】
そして、ＤＶＤプレーヤ１の設置時等に各出力端子部３０１〜３０３の少なくとも１つが、映像受信装置（テレビ）等の映像表示装置４の対応する映像入力端子部４１、４２、４３にケーブル接続される。尚、コンポジット映像出力端子部３０１、セパレート映像出力端子部３０２はそれぞれ１本のケーブル５１、５２で映像入力端子部４１、４２に接続され、コンポーネント映像出力端子部３０３は輝度信号及び２種類色差信号の３本のケーブル５３ｙ、５３ｃｂ、５３ｃｒで映像入力端子部４３に接続されるが、図１では、実線で示したケーブル５２のみが実際に接続され、破線で示したケーブル５１、５３ｙ、５３ｃｂ、５３ｃｒは実際には接続されていない状態を示す。
【００２５】
次に、本体装置３の内部において、３０４はＤＶＤを再生するＤＶＤドライバ、３０５はＤＶＤドライバ３０４の再生ＲＦ信号からＭＰＥＧフォーマットの映像情報を復号するＭＰＥＧデコーダ、３０６はＭＰＥＧデコーダ３０５の後段のビデオエンコーダであり、映像の出力モードの設定に基づくコントローラ３０７の制御により、前記映像情報をコンポジット映像、セパレート映像、コンポーネント映像の各フォーマットのいずれか一又は複数のフォーマットのビデオ信号（映像信号）に変換する。
【００２６】
３０８はビデオエンコーダ３０６と各映像出力端子部３０１〜３０３との間に設けられたビデオスイッチ／ビデオドライバであり、出力モードの設定に基づくコントローラ３０７の切り替え制御により、ビデオデエンコーダ３０６の各フォーマットの出力経路が切り替えられたビデオ信号を増幅して各映像出力端子部３０１〜３０３に出力映像信号として出力する。
【００２７】
ところで、本実施形態においては、ビデオスイッチ／ビデオドライバ３０８は４出力端子の構成であり、全てのフォーマットのビデオ信号を同時には出力することができず、出力モードの設定に応じて、出力ビデオ信号が、コンポジット映像、セパレート映像、コンポーネント映像それぞれのビデオ信号や、セパレート映像とコンポーネント映像のビデオ信号になる。又、前記出力モードの設定に応じてビデオエンコーダ３０６の出力も切り替わる。
【００２８】
３０９はリモコン受光部であり、リモコン送信機２の赤外線を受信し、受信した前記各指令等の信号をコントローラ３０７に出力する。３１０は本体操作部であり、本実施形態においては、リモコン送信機２と共に前記操作手段を形成するため、リモコン送信機２の映像設定キー２２と同じ機能を有する映像設定キー３１１が設けら、操作キー信号をコントローラ３０７に出力する。
【００２９】
そして、コントローラ３０７は設定された制御プログラムを実行して本体装置３の全体を制御すると共に、設定された図２の映像出力設定のプログラムを実行して本発明の出力モード切り替え手段、出力モード設定手段を形成する。
【００３０】
前記出力モード切り替え手段は、コントローラ３０７の内部のメモリ３１２に出力映像信号を出力する映像出力端子部３０１〜３０３の個数、組み合わせが異なる複数種類の候補モードの制御情報を保持し、映像設定キー２２、３１１の操作によるモード選択の指令に基づき、映像設定キー２２、３１１の再度の操作によってモード選択の終了が指令され、モード選択が解除されるまで、各候補モードを順に出力モードに選択して出力モードを切り替える。
【００３１】
前記出力モード設定手段は、モード選択における映像設定キー２２、３１１の再度の操作により出力モードの設定が指令されることによって選択中の候補モードを出力モードに設定してメモリ３１２にその設定を書き換え自在に保持する。
【００３２】
（動作）
まず、説明を簡単にするため、候補モードがコンポジット映像の出力モード、セパレート映像の出力モード、コンポーネント映像の出力モードの３種類に設定され、コンポジット映像の出力モードの設定時はコンポジット映像出力端子部３０１からコンポジット映像信号を出力し、セパレート映像の出力モードの設定時はセパレート映像出力端子部３０２からセパレート映像信号を出力し、コンポジット映像の出力モードの設定時はコンポジット映像出力端子部３０３からコンポジット映像信号を出力するように設定されているとする。
【００３３】
この場合、上記構成に基づいて図１のＤＶＤプレーヤ１は、コントローラ３０７が出力モード切り替え手段、出力モード設定手段によって図２のステップＳ１〜Ｓ１３の映像出力設定を実行する。
【００３４】
そして、ＤＶＤプレーヤ１の設置時等にユーザーによって映像設定キー２２、３１１が操作されてモード選択が指令されると、コントローラ３０７は映像の出力モードの選択状態になってステップＳ１からステップＳ２に移行し、最初に、コンポジット映像の候補モードを映像の出力モードに選択してＤＶＤプレーヤ１をコンポジット映像の出力モードにし、出力映像信号として、コンポジット映像出力端子部３０１からコンポジット映像信号を出力する。
【００３５】
更に、ステップＳ２からステップＳ３に移行してコントローラ７は内部のタイマを起動し、設定されたモード切替の規定時間のタイマーカウントを開始し、ステップＳ４、Ｓ５のループ処理によって前記規定時間の経過を検出する。
【００３６】
このとき、コンポジット映像出力端子部３０１が映像表示装置４にケーブル接続されていて映像表示装置４にコンポジット映像の画面が表示されると、ユーザーが映像設定キー２２、３１１を再度操作することにより、出力モードの設定及びモード選択の終了が指令され、ＤＶＤプレーヤ１の映像の出力モードをコンポジット映像の出力モードに設定してステップＳ４を肯定（ＹＥＳ）で通過し、出力モード選択を終了する。
【００３７】
一方、コンポジット映像出力端子部３０１が映像表示装置４にケーブル接続されておらず、映像表示装置４にコンポジット映像の画面が表示されなければ、前記規定時間の経過により、ステップＳ５からステップＳ６に移行し、セパレート映像の候補モードを映像の出力モードに選択してＤＶＤプレーヤ１をセパレート映像の出力モードに切り替え、出力映像信号として、セパレート映像出力端子部３０２からセパレート映像信号を出力する。
【００３８】
更に、ステップＳ６からステップＳ７に移行してコントローラ７は内部のタイマを再起動し、再び設定されたモード切替の規定時間のタイマーカウントを開始し、ステップＳ８、Ｓ９のループ処理によって前記規定時間の経過を検出する。
【００３９】
このとき、セパレート映像出力端子部３０２が映像表示装置４にケーブル接続されていて映像表示装置４にセパレート映像の画面が表示されると、ユーザーが映像設定キー２２、３１１を再度操作することにより、出力モードの設定及びモード選択の終了が指令され、ＤＶＤプレーヤ１の映像の出力モードをセパレート映像の出力モードに設定してステップＳ８を肯定（ＹＥＳ）で通過し、出力モード選択を終了する。
【００４０】
一方、セパレート映像出力端子部３０２も映像表示装置４にケーブル接続されておらず、映像表示装置４にセパレート映像の画面も表示されなければ、前記規定時間の経過により、ステップＳ９からステップＳ１０に移行し、コンポーネント映像の候補モードを映像の出力モードに選択してＤＶＤプレーヤ１をコンポーネント映像の出力モードに切り替え、出力映像信号として、コンポーネント映像出力端子部３０３からコンポーネント映像信号を出力する。
【００４１】
更に、ステップＳ１０からステップＳ１１に移行してコントローラ７は内部のタイマを再起動し、再び設定されたモード切替の規定時間のタイマーカウントを開始し、ステップＳ１２、Ｓ１３のループ処理によって前記規定時間の経過を検出する。
【００４２】
このとき、コンポーネント映像出力端子部３０１が映像表示装置４にケーブル接続されていて映像表示装置４にコンポーネント映像の画面が表示されると、ユーザーが映像設定キー２２、３１１を再度操作することにより、出力モードの設定及びモード選択の終了が指令され、ＤＶＤプレーヤ１の映像の出力モードをコンポーネント映像の出力モードに設定してステップＳ１２を肯定（ＹＥＳ）で通過し、出力モード選択を終了する。
【００４３】
ところで、コンポジット映像の出力モード、セパレート映像の出力モード、コンポーネント映像の出力モードに順に切り替えると、いずれかのモードでそのモードの映像出力が画面表示されるが、この画面表示が行なわれても、何らかの都合でユーザーが映像設定キー２２、３１１の再度の操作を行なわないことがある。
【００４４】
このような場合は、ステップＳ１２、Ｓ１３のループ処理によって前記規定時間の経過を検出し、前記規定時間が経過したときに、ステップＳ１３からステップＳ２に戻って出力モードの選択を継続し、ユーザーが映像設定キー２２、３１１の再度の操作を行なって出力モードの設定及びモード選択の終了が指令されるまで、コンポジット映像の出力モード、セパレート映像の出力モード、コンポーネント映像の出力モードに順に切り替えることをくり返す。
【００４５】
したがって、本実施形態の場合、各映像出力端子部３０１〜３０３と映像表示装置４とのケーブル接続状態がどのようであっても、ケーブル接続をやり直すことなく、ＤＶＤプレーヤ１の映像の出力モードを設定する簡単なキー操作で映像信号を出力している正しい映像出力端子部（図１であればセパレート映像出力端子部３０２）が映像表示装置４にケーブル接続された状態にして映像表示装置４にＤＶＤプレーヤ１の再生映像が画面表示されるようにすることができる。
【００４６】
そのため、専門的な知識のない一般のユーザーであっても、ＤＶＤプレーヤ１の設置時等にＤＶＤプレーヤ１の映像の出力モードと、ＤＶＤプレーヤ１、映像表示装置４間のケーブル接続との不整合によって、ＤＶＤプレーヤ１の再生映像が画面表示されない事態が生じた場合、映像設定キー２２、３１１を操作するだけで簡単にその不都合を解消することができ、ＤＶＤプレーヤ１の故障と勘違いしたりすることもない。
【００４７】
そして、本発明は上記した実施形態に限定されるものではなく、その趣旨を逸脱しない範囲において上述したもの以外に種々の変形実施を行なうことが可能である。
【００４８】
例えば、映像設定キー２２、３１１を設ける代わりに、リモコン送信機２２や本体操作部３１０の所定の通常操作キーを、出力モードの設定操作に兼用したり、例えば、リモコン送信機２に操作案内のディスプレイを設け、このディスプレイに操作選択のメニュー画面を表示し、このメニュー画面に映像設定キー２２、３１１に相当する操作キーを表示し、この表示のクリック操作等により、画面からの選択で出力モードの設定が行なえるようにしてもよい。
【００４９】
又、ＤＶＤプレーヤ１が備える映像出力端子部の種類や個数等はどのようであってもよく、映像表示装置４にケーブル接続されるＤＶＤプレーヤ１の一部の映像出力端子部が複数個であってもよい。
【００５０】
更に、ＤＶＤプレーヤ１の各部の構成は前記実施形態の構成に限られるものではない。
【００５１】
そして、本発明は、ＤＶＤプレーヤ、ビデオテーププレーヤ等の映像再生装置やＤＶＤレコーダ、ＨＤＤレコーダ、ビデオテープレコーダ等の種々の映像出力装置に適用することができる。
【図面の簡単な説明】
【００５２】
【図１】本発明の映像出力装置の一例であるＤＶＤプレーヤ１の構成を示すブロック図である。
【図２】同上、ＤＶＤプレーヤ１の映像出力設定の動作説明用のフローチャートである。
【符号の説明】
【００５３】
１    ＤＶＤプレーヤ
２    リモコン送信機
２２、３１１    映像設定キー
３    本体装置
３０１    コンポジット映像出力端子部
３０２    セパレート映像出力端子部
３０３    コンポーネント映像出力端子部
３０７    コントローラ
４    映像表示装置
４１、４２、４３    映像入力端子部
５１、５２、５３ｙ、５３ｃｂ、５３ｃｒ    ケーブル
【図１】
2008060664.tif 000003
【図２】
2008060664.tif 000004